(57)【要約】【課題】電気部品を着脱自在に保持する電気部品用ソケットにおいて、電気部品を押圧固定する押圧カバーを閉じた状態のときにその全体の高さを低くする。【解決手段】ＩＣパッケージ１を載置する載置部８が設けられたソケット本体２と、このソケット本体２の一端側にて開閉可能に配設され閉じた状態でＩＣパッケージ１を押圧して固定する押圧カバー５と、ソケット本体２の一端側にて開閉可能に配設され押圧カバー５が閉じる方向に作動力を与えて閉じるレバー部材６とを有する電気部品用ソケットであって、押圧カバー５の配設部１０を載置部８の高さよりも低い位置に配設し、レバー部材６は、押圧カバー５に設けられた操作部２０を押圧して作動力を与えるものとし、レバー部材６の配設部１１は、押圧カバー５の配設部１０よりもソケット本体２の内側に配設した。【選択図】  図１
2004227904.tif 000002
【特許請求の範囲】
【請求項１】
電気部品を載置する載置部が設けられたソケット本体と、
このソケット本体の一端側にて開閉可能に配設され閉じた状態で上記載置部に載置された電気部品を押圧して固定する押圧カバーと、
上記ソケット本体の一端側にて開閉可能に配設され上記押圧カバーが閉じる方向に作動力を与えて閉じるレバー部材と、
を有する電気部品用ソケットであって、
上記押圧カバーの配設部を上記ソケット本体の載置部の高さよりも低い位置に配設し、上記レバー部材は、上記押圧カバーに設けられた操作部を押圧して作動力を与えるものとしたことを特徴とする電気部品用ソケット。
【請求項２】
上記レバー部材の配設部は、上記押圧カバーの配設部よりもソケット本体の内側に配設されたことを特徴とする請求項１記載の電気部品用ソケット。
【請求項３】
上記押圧カバーの操作部は、その外側面の一端側と他端側の略中央部に設けられたことを特徴とする請求項１又は２記載の電気部品用ソケット。
【請求項４】
上記押圧カバーは開方向に付勢されており、上記レバー部材は押圧カバーの操作部と係合して開放されるようになっていることを特徴とする請求項１〜３のいずれか１項に記載の電気部品用ソケット。
【発明の詳細な説明】
【０００１】
【発明の属する技術分野】
本発明は、ＩＣパッケージなどの電気部品を着脱可能に保持して外部の測定器に電気的に接続させる電気部品用ソケットに関し、詳しくは、上記電気部品を押圧して固定する押圧カバーを閉じた状態のときにその全体の高さを低くすることができる電気部品用ソケットに関するものである。
【０００２】
【従来の技術】
一般に、ＩＣパッケージなどの電気部品についての性能検査を行うときには、電気部品を着脱可能に保持して外部の測定器に電気的に接続させる電気部品用ソケットが用いられる。従来のこの種の電気部品用ソケットのうち、いわゆるクラムシェルタイプのものは、電気部品を載置する載置部が設けられたソケット本体と、このソケット本体の一端側に設けられた回転軸にて開閉可能に軸支され閉じた状態で載置部に載置された電気部品を押圧して固定する押圧カバーと、前記ソケット本体の一端側に設けられた他の回転軸にて開閉可能に軸支され押圧カバーが閉じる方向に作動力を与えて閉じるレバー部材とを備えて成る。
【０００３】
そして、このような電気部品用ソケットを使用して電気部品を保持するときには、まずレバー部材及び押圧カバーを開いてソケット本体の載置部に電気部品を載置し、次にこのレバー部材を閉じて押圧する。これにより、レバー部材から作動力を受けて押圧カバーが閉じ、その状態で載置部に載置された電気部品を押圧して固定するようになっていた。このとき、電気部品の各接続端子は、電気部品用ソケットの各コンタクトピンに電気的に接続するようになっていた（例えば、特許文献１参照。）。
【０００４】
【特許文献１】
特許第３０２２５９３号明細書  （第３頁、第１〜３図）
【０００５】
【発明が解決しようとする課題】
しかし、特許文献１に記載された技術は、押圧カバーを軸支する回転軸がソケット本体の載置部の高さよりも高い位置に配設されており、またレバー部材が押圧カバーの上面を押圧して押圧カバーに作動力を与えるようになっていたため、ソケット本体の載置部に載置された電気部品を押圧固定する押圧カバーを閉じた状態のときにその全体の高さが高かった。
【０００６】
また、例えばガルウィングタイプのような接続端子の少ない電気部品を保持する電気部品用ソケットに適用されたものであって、電気部品の各接続端子に対応して設けられたコンタクトピンの本数は少なかった。そのため、レバー部材を押圧してソケット本体の載置部に載置された電気部品を押圧固定したときに各コンタクトピンの弾性変形により発生する反発力は小さく、レバー部材に大きな力を加えずに電気部品を押圧固定することができた。これに対し、例えばＢＧＡやＬＧＡなどの下面に多数個の接続端子が設けられた電気部品を保持する電気部品用ソケットに適用した場合には、レバー部材に大きな力を加えて押圧カバーを押圧しなければならなかった。すなわち、電気部品の接続端子数の増加に伴って、電気部品用ソケットのコンタクトピンの本数は増加する傾向にあり、この多数本のコンタクトピンの弾性変形により反発力が大きくなることがあった。したがって、多数個の接続端子を備えた電気部品を押圧固定するためには、その反発力よりも大きな力でレバー部材を押圧しなければならず、電気部品用ソケットを操作する自動機の負担が大きくなるという問題点があった。
【０００７】
また、このような電気部品用ソケットに関する他の技術として、電気部品を押圧固定する押圧カバーと、閉じた押圧カバーに力を加えて固定する固定手段とを備えたものもあったが、このような電気部品用ソケットの場合には、押圧カバーを閉じる動作と、この閉じた押圧カバーに対して固定手段で固定する動作との２回の動作が必要であった。したがって、１回の動作によってレバー部材を閉じて押圧カバーで電気部品を押圧固定することができなかった。
【０００８】
そこで、本発明は、このような問題点に対処し、電気部品用ソケットの載置部に載置された電気部品を押圧して固定する押圧カバーを閉じた状態のときにその全体の高さを低くすることができる電気部品用ソケットを提供することを目的とする。
【０００９】
【課題を解決するための手段】
上記目的を達成するために、本発明による電気部品用ソケットは、電気部品を載置する載置部が設けられたソケット本体と、このソケット本体の一端側にて開閉可能に配設され閉じた状態で上記載置部に載置された電気部品を押圧して固定する押圧カバーと、上記ソケット本体の一端側にて開閉可能に配設され上記押圧カバーが閉じる方向に作動力を与えて閉じるレバー部材と、を有する電気部品用ソケットであって、上記押圧カバーの配設部を上記ソケット本体の載置部の高さよりも低い位置に配設し、上記レバー部材は、上記押圧カバーに設けられた操作部を押圧して作動力を与えるものとした。
【００１０】
このような構成により、上記押圧カバーの配設部をソケット本体の載置部の高さよりも低い位置に配設し、上記レバー部材は、押圧カバーに設けられた操作部を押圧して作動力を与えるものとしたことで、押圧カバーを閉じた状態における電気部品用ソケット全体の高さが低くなる。
【００１１】
また、上記レバー部材の配設部は、上記押圧カバーの配設部よりもソケット本体の内側に配設されている。これにより、上記レバー部材の配設部が支点となり、この配設部からの距離が遠い力点に力を加えると、配設部からの距離が近い作用点で大きな作動力を得ることができるので、レバー部材に加える力が小さいときにも、押圧カバーに大きな作動力が与えられる。
【００１２】
さらに、上記押圧カバーの操作部は、その外側面の一端側と他端側の略中央部に設けられている。これにより、上記押圧カバーの操作部がレバー部材に押されて閉じられ、閉じた状態のレバー部材を押圧すると押圧カバーが電気部品の全体に均等に力を与える。
【００１３】
そして、上記押圧カバーは開方向に付勢されており、上記レバー部材は押圧カバーの操作部と係合して開放されるようになっている。これにより、上記レバー部材の閉状態を解除すると、開方向に付勢された押圧カバーが開き、レバー部材が押圧カバーの操作部と係合して開放される。
【００１４】
【発明の実施の形態】
以下、本発明の実施の形態を添付図面に基づいて詳細に説明する。
図１は本発明による電気部品用ソケットの実施の形態を示す斜視図であり、図２は図１に示す電気部品用ソケットを分解した状態を示す斜視図である。この電気部品用ソケットは、図１に示すＩＣパッケージ１などの電気部品についての性能検査を行う工程において、ＩＣパッケージ１を着脱可能に保持して外部の測定器（図示省略）に電気的に接続する治具で、ソケット本体２と、サポートプレート３と、フローティング部材４と、押圧カバー５と、レバー部材６と、ラッチ部材７とを備えて成る。
【００１５】
図１に示すソケット本体２は、ＩＣパッケージ１などの電気部品を載置するものであって、強度が高く、かつ耐熱性に優れた樹脂によって平板状に成型されている。このソケット本体２の略中央部には、図２に示すように、ＩＣパッケージ１を載置する載置部８が設けられており、その上面には複数本のコンタクトピン（図示せず）が取り付けられ、ＩＣパッケージ１（図１参照）の下面に設けられた複数個の接続端子との電気的接触を図るようになっている。
【００１６】
また、図２に示すように、ソケット本体２の載置部８の左右両側には固定片９が立設されている。この固定片９は、後述するサポートプレート３を位置決めするもので、ソケット本体２と一体的に成型されている。さらに、ソケット本体２の一端側（図２中における右側の一側辺）の左右両側には、第１軸受部１０が設けられている。この第１軸受部１０は、後述する押圧カバー５を支える支点となるもので、この押圧カバー５を軸支する回転軸となるシャフト１３を通すための貫通孔１０ａが形成されている。このとき、第１軸受部１０の貫通孔１０ａはソケット本体２の載置部８の高さよりも低い位置に形成されており、この貫通孔１０ａに通されるシャフト１３は、ソケット本体２の載置部８の高さよりも低い位置に配設される。
【００１７】
さらに、図２に示すように、ソケット本体２の載置部８の左右両側の所定の位置には、第２軸受部１１が立設されている。この第２軸受部１１は、後述するレバー部材６を支える支点となるもので、このレバー部材６を軸支する回転軸となるシャフト１６を通すための貫通孔１１ａが形成されている。このとき、第２軸受部１１は、押圧カバー５の回転軸となる第１軸受部１０よりもソケット本体２の内側に配置されている。また、この第２軸受部１１の貫通孔１１ａは、第１軸受部１０の貫通孔１０ａと同様に、ソケット本体２の載置部８の高さよりも低い位置に形成されており、この貫通孔１１ａに通されるシャフト１６は、ソケット本体２の載置部８の高さよりも低い位置に配設される。
【００１８】
さらにまた、図２に示すように、ソケット本体２の他端側（図２中における左側の一側辺）にて載置部８の左右両側には、他の軸受部１２が設けられている。この他の軸受部１２は、後述するラッチ部材７を支える支点となるもので、このラッチ部材７を軸支する回転軸となるシャフト１７を通すための貫通孔１２ａが形成されている。
【００１９】
また、図１に示すように、ソケット本体２の載置部８の左右両側には、サポートプレート３が配置されている。このサポートプレート３は、ソケット本体２が変形しないように支持するもので、金属でできており、図２に示すように、ソケット本体２に設けられた左右両側の固定片９及び第２軸受部１１、他の軸受部１２によって位置決めされている。なお、図１に示すように、この左右のサポートプレート３は、それぞれ固定ピン１９，１９によってソケット本体２に固定されている。
【００２０】
さらに、図１に示すように、ソケット本体２の載置部８の上方には、フローティング部材４が配設されている。このフローティング部材４は、ＩＣパッケージ１の外側縁部を載置部８より先に受け止めるもので、ＩＣパッケージ１を略水平状態に保持した状態で上下方向に移動可能に形成されている。このフローティング部材４の具体的な構造は、図２に示すように、載置部８の上面と略同等の大きさの枠形状を有し、その四隅部にはＩＣパッケージ１の外側面を規制して位置決めする案内部４ａが立設されている。これにより、フローティング部材４の上方からＩＣパッケージ１を落とし込んだ際に、ＩＣパッケージ１を所定の位置に誘い込んで受け止めることができる。また、このフローティング部材４を押圧することにより、ＩＣパッケージ１を略水平状態に保持した状態で載置部８にまで移動して載置することができる。
【００２１】
さらにまた、図１に示すように、ソケット本体２の一端側に設けられた第１軸受部１０には、押圧カバー５が開閉可能に軸支されている。この押圧カバー５は、図３に示すように、閉じた状態で載置部８に載置されたＩＣパッケージ１を押圧して固定するもので、金属で枠状体に形成され、その外側面の両側から平行に延びた左右の腕部５ａの先端部には、長孔５ｂが形成されている。そして、この長孔５ｂをソケット本体２に設けられた第１軸受部１０の貫通孔１０ａに合致させ、左右それぞれにシャフト１３を通すことにより、押圧カバー５は第１軸受部１０で軸支される。また、押圧カバー５の内側には、左右のシャフト１４に介装された弦巻ばね１５が取り付けられている。これにより、押圧カバー５は開方向に付勢されており、レバー部材６は後述する押圧カバー５の操作部２０と係合して開放されるようになっている。
【００２２】
また、図２に示すように、この押圧カバー５は、その外側面の両側にてその一端側と他端側の略中央部に操作部２０，２０を備えている。この操作部２０，２０は、後述するレバー部材６からの作動力を受ける作用点となるもので、その軸部の先端に鍔部が形成されている。これにより、後述するレバー部材６により押圧カバー５の外側面の両側に設けられた操作部２０を押圧して閉じた状態（図３参照）のときにレバー部材６を位置決めすることができる。
【００２３】
また、図１に示すように、ソケット本体２に設けられた第２軸受部１１には、レバー部材６が開閉可能に軸支されている。このレバー部材６は、押圧カバー５が閉じる方向に作動力を与えて閉じるもので、金属でできており、図２に示すように、平面視でコ字形の形状を有し、その先端部６ａから平行に延びた左右の腕部６ｂの先端部には丸孔６ｃが形成されている。また、この左右の腕部６ｂ，６ｂは、押圧カバー５の外側面の幅よりも間隔が広く形成されている。そして、このレバー部材６の左右の腕部６ｂに形成された丸孔６ｃを、ソケット本体２に設けられた第２軸受部１１の貫通孔１１ａに合致させ、左右それぞれにシャフト１６を通すことにより、レバー部材６は第２軸受部１１で軸支される。
【００２４】
そして、図１に示すように、ソケット本体２の他端側（図２中における左側の一側辺）に設けられた他の軸受部１２には、ラッチ部材７が回動可能に取り付けられている。このラッチ部材７は、レバー部材６を閉じたときにソケット本体２への閉状態を保持するもので、図２に示すように、レバー部材６の先端部６ａを係止可能なクランプ爪７ａが形成されており、その側部に形成された止め孔７ｂを他の軸受部１２に形成された貫通孔１２ａに合致させ、シャフト１７を通して軸支されるようになっている。また、このシャフト１７にはスプリング１８が介装され、ラッチ部材７が係止方向に付勢されるようになっている。
【００２５】
次に、このように構成された電気部品用ソケットを使用してＩＣパッケージ１を保持する動作について、図４〜図５を参照して説明する。まず、図４に示すように、レバー部材６及び押圧カバー５を開き、ＩＣパッケージ１をソケット本体２の載置部８の上方に配設されたフローティング部材４の上方から矢印Ｃの方向に落とし込む。これにより、ＩＣパッケージ１は、フローティング部材４の四隅部に立設された案内部４ａによりその外側面を規制して位置決めされ、所定の位置に誘い込まれて受け止められる（図１参照）。
【００２６】
次に、図４に示すように、レバー部材６を閉じる力を矢印Ｄ方向に加えてレバー部材６を閉じると、レバー部材６の腕部６ｂが押圧カバー５に設けられた操作部２０を押圧し、この押圧カバー５が閉じる方向に作動力を受けて矢印Ｅの方向に閉じる。その後、図５に示すように、レバー部材６の先端部６ａをソケット本体２の他端側に設けられたラッチ部材７で係止して閉じた状態を保持する（図３参照）。ここで、上述したように、押圧カバー５を軸支する回転軸１３がソケット本体２の載置部８の高さよりも低い位置に配設されており、レバー部材６が押圧カバー５に設けられた操作部２０を押圧して作動力を与えるものであるので、レバー部材６及び押圧カバー５を閉じた状態における電気部品用ソケット全体の高さを従来のものと比べて低くすることができる。
【００２７】
そして、矢印Ｆに示すように、レバー部材６の先端部６ａ（力点）に力を加えて押圧する。ここで、上述したように、レバー部材６を軸支する回転軸となるシャフト１６は、押圧カバー６の回転軸となるシャフト１３よりもソケット本体の内側に配設されている。具体的には、図５において、閉じた状態の押圧カバー５の操作部２０の右側近傍に配設されている。これにより、レバー部材６の回転軸となるシャフト１６が支点となり、このシャフト１６（支点）からの距離が遠い先端部６ａ（力点）に力Ｆを加えると、当該シャフト１６（支点）からの距離が近い操作部２０が作用点となって押圧カバー５に作動力が与えられ、この操作部２０（作用点）で大きな作動力を得ることができる。これにより、レバー部材６に加える力が小さいときにも、梃子の原理により押圧カバー５の操作部２０に大きな作動力を与えることができる。
【００２８】
したがって、例えばＢＧＡやＬＧＡなどの下面に多数個の接続端子が設けられたＩＣパッケージ１を保持する電気部品用ソケットにおいても、レバー部材６を小さい力で閉じて押圧することができ、ソケット本体２の載置部８に載置されたＩＣパッケージ１を押圧して固定することができる。また、１回の操作で、レバー部材６を閉じると共に押圧カバー５に大きな作動力を与えることができるため、電気部品用ソケットを操作する自動機の負担を小さくすることができる。
【００２９】
そして、このようにしてソケット本体２の載置部８に載置され、押圧カバー５により押圧されたＩＣパッケージ１の保持を解除するときには、ソケット本体２の他端側に設けられたラッチ部材７に開く力を、矢印Ｇに示す方向に加える。これにより、レバー部材６の先端部６ａの係止が外れ、開く方向に付勢された押圧カバー５が開き、レバー部材６は押圧カバー５の操作部２０と係合して開放される（図１参照）。また、次のＩＣパッケージ１を保持するときには、その次のＩＣパッケージ１をソケット本体２のフローティング部材４の上方から矢印Ｃの方向に落とし込み、上述した操作を繰り返す。
【００３０】
【発明の効果】
本発明は以上のように構成されたので、請求項１に係る発明によれば、ＩＣパッケージなどの電気部品を着脱可能に保持して外部の測定器に電気的に接続させる電気部品用ソケットであって、ソケット本体の載置部に載置された電気部品を押圧して固定する押圧カバーの配設部をソケット本体の載置部の高さよりも低い位置に配設し、この押圧カバーが閉じる方向に作動力を与えて閉じるレバー部材は、押圧カバーに設けられた操作部を押圧して作動力を与えるものとしたことにより、押圧カバーを閉じた状態における電気部品用ソケット全体の高さを低くすることができる。したがって、１回のレバー部材の操作だけで押圧カバーを閉じることができ、電気部品用ソケットを操作する自動機の負担を小さくすることができる。
【００３１】
また、請求項２に係る発明によれば、上記レバー部材の配設部は、上記押圧カバーの配設部よりもソケット本体の内側に配設されていることにより、レバー部材の配設部が支点となり、この配設部からの距離が遠い力点に力を加えると、配設部からの距離が近い作用点で大きな作動力を得ることができるので、レバー部材に加える力が小さいときにも、押圧カバーに大きな作動力を与えることができる。これにより、作動力の重いクラムシェルタイプの電気部品用ソケットに適用した場合でも、小さい力でレバー部材を閉じて電気部品を押圧することができる。したがって、電気部品用ソケットを操作する自動機の負担を小さくすることができる。
【００３２】
さらに、請求項３に係る発明によれば、上記押圧カバーの操作部は、その外側面の一端側と他端側の略中央部に設けられていることにより、押圧カバーの操作部がレバー部材に押されて閉じられ、閉じた状態のレバー部材を押圧すると押圧カバーで電気部品の全体に均等に力を与えることができる。したがって、電気部品用ソケットを操作する自動機の負担を小さくすることができる。
【００３３】
そして、請求項４に係る発明によれば、上記押圧カバーは開方向に付勢されており、上記レバー部材は押圧カバーの操作部と係合して開放されるようになっていることにより、上記レバー部材の閉状態を解除すると、開方向に付勢された押圧カバーが開き、レバー部材が押圧カバーの操作部と係合して開放することができる。したがって、上記レバー部材の閉状態を解除するだけで押圧カバーを開くことができ、電気部品用ソケットを操作する自動機の負担を小さくすることができる。
【図面の簡単な説明】
【図１】本発明による電気部品用ソケットの実施の形態を示す斜視図であり、ソケット本体に対しレバー部材及び押圧カバーが開いた状態を示すものである。
【図２】図１に示す電気部品用ソケットを分解した状態を示す斜視図である。
【図３】図１に示す電気部品用ソケットの斜視図であり、ソケット本体に対しレバー部材及び押圧カバーを閉じてＩＣパッケージを押圧して保持した状態を示すものである。
【図４】図１に示す電気部品用ソケットのＡ−Ａ線断面図である。
【図５】図３に示す電気部品用ソケットのＢ−Ｂ線断面図である。
【符号の説明】
１…ＩＣパッケージ
２…ソケット本体
３…サポートプレート
４…フローティング部材
５…押圧カバー
６…レバー部材
７…ラッチ部材
８…載置部
１０…第１軸受部
１１…第２軸受部
１３，１４，１６，１７…シャフト
１５…弦巻ばね
１８…スプリング
２０…操作部
【図１】
2004227904.tif 000003
【図２】
2004227904.tif 000004
【図３】
2004227904.tif 000005
【図４】
2004227904.tif 000006
【図５】
2004227904.tif 000007